(57)【特許請求の範囲】
【請求項１】
車両用ドアのドアパネルにおける車室側の表面をドアライニングによって覆い、このドアライニングにドア開閉用のインサイドハンドルユニット及びドアグリップを設けた車両用ドア構造において、
前記ドアライニングは、前記インサイドハンドルユニットを取付けるためのハンドル用開口部を有しており、
前記ドアグリップは、グリップ取付ブラケットを介して前記ドアパネルに取付けるものであり、
前記グリップ取付ブラケットは、前記ドアパネルと前記ドアライニングとの間に配置されており、
前記ドアパネルに対する前記グリップ取付ブラケットの取付け位置は、前記ハンドル用開口部を通して取付け可能な位置に配置されており、
前記ドアグリップは、前記ドアライニングにおける車室側の表面に配置したグリップベースと、このグリップベースを覆うグリップカバーとから成り、
このグリップカバーは、裏面に取付部を有しており、
前記グリップ取付ブラケットと前記ドアライニングと前記グリップベースと前記取付部とは、この順に車室側に重ね合わされるとともに、これらの全ての部材が締結部材の共締めによって取付けられる構成であり、
前記グリップカバーにおける車室側の表面には、各種の付属部品が配置されており、
前記グリップ取付ブラケットは、付属部品取付部を一体に成形しており、
この付属部品取付部は、前記グリップカバーの前記裏面と前記ドアライニングとの間に位置し、前記付属部品が取付けられている、
ことを特徴とした車両用ドア構造。
【請求項２】
前記ドアライニングは、前記ドアパネルに臨む面に受け皿を有しており、
この受け皿は、前記ドアパネルに前記グリップ取付ブラケットを締結部材によって取付けるときに、誤って落下した締結部材を受けるべく、前記ハンドル用開口部の下方に且つ前記ハンドル用開口部の下縁の近傍に配置されている、ことを特徴とした請求項１記載の車両用ドア構造。
【発明の詳細な説明】
【技術分野】
【０００１】
本発明は、車両用ドアのドアパネルにおける車室側の表面をドアライニングによって覆い、このドアライニングにドア開閉用のインサイドハンドルユニット及びドアグリップを設けた、車両用ドア構造に関する。
【背景技術】
【０００２】
車両用ドアは、車室側からドアを開閉するためのインサイドハンドルユニットと、ドアグリップとを備えている。ドアグリップはドアパネルに取り付けられる。ドアパネルにドアグリップを取付ける技術としては、各種のものが知られている（例えば、特許文献１参照。）。
【特許文献１】特開平１０−４４８５１号公報
【０００３】
特許文献１で知られている車両用ドア構造は、ドアグリップの構造を、グリップインナーとグリップアウターとから成る、二分割品にしたというものである。グリップインナー（グリップベースに相当する）は、ドアライニングに一体に形成されており、ドアパネルに直接にボルト止めされる。グリップアウター（グリップカバーに相当する）は、グリップインナーの外面に対して、車室側から取り外し可能にスナップフィット方式で取り付けられる。グリップインナーのボルト止め部分は、グリップアウターによって覆われるので、外部から見えない。
【０００４】
ところで、ドアパネル及びドアライニングの周辺には、ドアグリップの他に各種の部品も配置されている。特許文献１で知られている車両用ドア構造は、ドアパネルに対して、車室側の表面からグリップインナーを直接にボルト止めするものである。このため、グリップインナーをボルト止めする位置を設定するには、他の部品に干渉しないように十分に配慮する必要がある。しかも、ドアグリップはドアパネルから取り外すことが有り得る。ドアの外観性を高めるには、ボルト止めの部分が外部から見えないように配慮する必要もある。従って、ボルト止め位置に配慮しながら、ドアグリップの形状や配置を設計する必要があるので、設計の自由度が低い。
【発明の開示】
【発明が解決しようとする課題】
【０００５】
本発明は、ドアパネル及びドアグリップの設計の自由度を高めるとともに、ドア周りの外観性を高めることができる技術を、提供することを課題とする。
【課題を解決するための手段】
【０００６】
請求項１に係る発明は、車両用ドアのドアパネルにおける車室側の表面をドアライニングによって覆い、このドアライニングにドア開閉用のインサイドハンドルユニット及びドアグリップを設けた車両用ドア構造において、前記ドアライニングは、前記インサイドハンドルユニットを取付けるためのハンドル用開口部を有しており、前記ドアグリップは、グリップ取付ブラケットを介して前記ドアパネルに取付けるものであり、前記グリップ取付ブラケットは、前記ドアパネルと前記ドアライニングとの間に配置されており、前記ドアパネルに対する前記グリップ取付ブラケットの取付け位置は、前記ハンドル用開口部を通して取付け可能な位置に配置されており、
前記ドアグリップは、前記ドアライニングにおける車室側の表面に配置したグリップベースと、このグリップベースを覆うグリップカバーとから成り、このグリップカバーは、裏面に取付部を有しており、前記グリップ取付ブラケットと前記ドアライニングと前記グリップベースと前記取付部とは、この順に車室側に重ね合わされるとともに、これらの全ての部材が締結部材の共締めによって取付けられる構成であり、
前記グリップカバーにおける車室側の表面には、付属部品が配置されており、
前記グリップ取付ブラケットは、付属部品取付部を一体に成形しており、
この付属部品取付部は、前記グリップカバーの前記裏面と前記ドアライニングとの間に位置し、前記付属部品が取付けられている、ことを特徴とする。
【０００９】
請求項２に係る発明では、前記ドアライニングは、前記ドアパネルに臨む面に受け皿を有しており、この受け皿は、前記ドアパネルに前記グリップ取付ブラケットを締結部材によって取付けるときに、誤って落下した締結部材を受けるべく、前記ハンドル用開口部の下方に且つ前記ハンドル用開口部の下縁の近傍に配置されていることを特徴とする。
【発明の効果】
【００１０】
請求項１に係る発明では、ドアパネルとドアライニングとの間に配置されたグリップ取付ブラケットを介して、ドアパネルにドアグリップを取付けるようにした。グリップ取付ブラケットは、ドアパネル及びドアライニングの周辺に配置されている他の部品に干渉しないように、自由に通すことができる。しかも、ドアの外部からグリップ取付ブラケットが見えることはない。従って、ドアグリップの形状や配置を設計するのに、ドアパネルに対するドアグリップの取付け位置や、ドアパネル及びドアライニングの周辺に配置されている他の部品の制約を受けない。このため、ドアグリップの設計の自由度が高い。しかも、ドア周りの外観性を高めることができる。
【００１１】
また、ドアライニングは、インサイドハンドルユニットを取付けるためのハンドル用開口部を有している。請求項１に係る発明では、ドアパネルに対するグリップ取付ブラケットの取付け位置を、ハンドル用開口部を通して取付け可能な位置に配置した。このため、ドアライニングにインサイドハンドルユニットを取付けた後には、ドアパネルに対するグリップ取付ブラケットの取付け位置が、ドアの外部から見えることはない。従って、ドア周りの外観性を高めることができる。
【００１２】
また、請求項１に係る発明では、ドアパネルに取り付けられているグリップ取付ブラケットと、ドアライニングと、ドアグリップにおけるグリップベースと、グリップカバーに有している取付部とを、締結部材の共締めによって互いに取付けたものである。これらの全ての部材が、締結部材の共締めによって互いに取付けられるので、取付け強度を十分に高めることができる。
【００１３】
さらに、請求項１に係る発明では、グリップカバーにおける車室側の表面に配置された、スイッチ等の付属部品を、グリップ取付ブラケットに取付けたものである。このため、ドアパネルにドアグリップを取付けるためのグリップ取付ブラケットは、グリップカバーに配置された付属部品をドアパネルに取付けるための部材を兼ねる。このため、別個の取付け部材を設ける必要はない。従って、ドアの部品数を削減することができるとともに、グリップカバーやドアライニングの裏側における狭いスペースを、有効に活用することができる。
【００１４】
請求項２に係る発明では、ドアライニングは、ドアパネルに臨む面に受け皿を有している。受け皿は、ハンドル用開口部の下方に且つハンドル用開口部の下縁の近傍に配置される。このため、ドアパネルにグリップ取付ブラケットを締結部材によって取付けるときに、誤って落下した締結部材を受けることができる。作業者は、ハンドル用開口部から受け皿へ手を伸ばし、受け皿に載っている締結部材を容易に取り出すことができる。しかも、互いに組み立てられている、ドアライニングとドアパネルを組み直す必要はない。
【発明を実施するための最良の形態】
【００１５】
本発明を実施するための最良の形態を添付図に基づいて以下に説明する。なお、「前」、「後」、「左」、「右」、「上」、「下」は運転者から見た方向に従い、Ｆｒは前側、Ｒｒは後側、Ｒｉは右側、ＣＬは車幅中心（車体中心）を示す。
【００１６】
図１は本発明に係る右の車両用ドアを車室側から見たものである。図１に示すように、車両用ドア１０は、上半分にサッシュ１１を組合せ、このサッシュ１１に沿ってガラス板１２が昇降する形式の、いわゆる、サッシュ式ドアである。このドア１０は、ドアパネル（図１では、図示せず）における車室側の表面をドアライニング２０によって覆い、このドアライニング２０にドアグリップ３０、インサイドハンドルユニット４０、各種の第１の付属部品５０を設けたものである。ドアライニング２０は、樹脂成形品から成る。第１の付属部品５０は、例えば窓開閉用操作スイッチやシート位置調整操作スイッチから成る。
【００１７】
ドアグリップ３０を外した状態のドア１０を図２に示す。図１及び図２に示すように、ドアライニング２０はハンドル用開口部２１を有している。ハンドル用開口部２１は、互いに車両前後方向に隣接し合うインサイドハンドルユニット４０及び第１の付属部品５０を設けるための貫通孔である。
【００１８】
図３は図１に示すドアをドアパネル側（裏側）から見た側面図であり、サッシュ１１及びドアパネルを省略して表してある。図４は図３に示すドア周りの分解図である。図３及び図４に示すように、インサイドハンドルユニット４０は、ドアライニング２０の裏面２２に沿ってハンドル用開口部２１まで前後スライドさせることによって、取り付けられる構成である。第１の付属部品５０は、第１のパネル５１にセットされた状態でドアライニング２０に取り付けられる。
【００１９】
図５は図１に示すドアグリップをドアパネル側（裏側）から見た図である。図６は図５に示すグリップカバーだけをドアパネル側（裏側）から見た図である。
図４〜図６に示すように、ドアグリップ３０は樹脂成形品であって、ドアライニング２０における車室側の表面に配置したグリップベース３１と、このグリップベース３１を覆うグリップカバー３２とから成る、二分割品である。グリップベース３１に対して、グリップカバー３２は車室側から被せてビス止めやスナップフィットによって、取り外し可能に組み立てられる。なお、図５に示すように、グリップカバー３２は、グリップベース３１の上端よりも前上方へ延びた構成である。このため、グリップカバー３２の裏面３２ａ（ドアライニング２０に臨む面３２ａ）における上半分は、露出している。
【００２０】
図１、図４〜図６に示すように、ドアグリップ３０におけるグリップカバー３２の車室側の表面３２ｂには、第２の付属部品６０が配置されている。第２の付属部品６０は、例えばミラー角度調節用操作スイッチから成る。第２の付属部品６０は、第２のパネル６１にセットされた状態でグリップカバー３２に取り付けられる。
【００２１】
図７は図３に示すハンドルケース周りの図である。図８は図７の８−８線断面図である。この図８は、ドアパネル７０における車室側の表面７１をドアライニング２０で覆っていることを示している。ドアパネル７０は、鋼板から成るドア本体であって、剛性が大きい。
インサイドハンドルユニット４０は、ドア１０を開閉するものであり、車室側（車幅中心ＣＬ側）からドア１０を開閉するためのドアハンドル４１と、このドアハンドル４１を収納したハンドルケース４２とから成る。
【００２２】
図３、図４、図７及び図８に示すように、ドアライニング２０の裏面２２には、ハンドル用開口部２１にハンドルケース４２を取付けるときに、このハンドルケース４２を裏面２２に沿わせてハンドル用開口部２１まで車両前後方向にスライド可能に案内するための、前後２個のガイド部８０Ｒ，８０Ｆを有している。ここで、ドアライニング２０において、後側のガイド部８０Ｒのことを第１ガイド部８０Ｒと言い、前側のガイド部８０Ｆのことを第２ガイド部８０Ｆと言う。第１及び第２ガイド部８０Ｒ，８０Ｆは、ハンドル用開口部２１の上縁２１ａ（図８参照）近傍に配置されている。さらに、ドアライニング２０は、裏面２２に且つハンドル用開口部２１の下縁２１ｂ（図８参照）近傍に、ハンドルケース４２を取付けるための、前後２個のケース取付部９０，９０（具体的には、クリップ取付座９１）を有している。
【００２３】
先ず、第１及び第２ガイド部８０Ｒ，８０Ｆについて、詳しく説明する。
図９は図７に示すハンドルケースの上部及び第１及び第２ガイド部を示す分解図である。図７〜図９に示すように、第１及び第２ガイド部８０Ｒ，８０Ｆは、基本的な構成が互いに同じであるとともに、ハンドル用開口部２１の上縁２１ａに概ね沿うように前後一列に並んでいる。
詳しく説明すると、ドアライニング２０の上部におけるウェスト部２３は、裏面２２側へ湾曲しつつ上方へ延びるように形成されており、このウェスト部２３の延出端は更に下方へ延びてフランジ２４が形成されている。フランジ２４にはドアインナシール２５（図８参照）が装着されている。
【００２４】
第１及び第２ガイド部８０Ｒ，８０Ｆは、それぞれガイド板８１と前後一対のリブ８２，８３とから成る。ガイド板８１は、ドアライニング２０において、湾曲状のウェスト部２３の裏面２２から下方へ延びる平板から成り、板面がハンドル用開口部２１の上縁２１ａ（図８参照）に概ね沿っている。このため、図８に示すように、ウェスト部２３の裏面２２とガイド部８０Ｒ，８０Ｆとの間には所定の空間Ｓｐが形成される。この空間Ｓｐは、下方が開放されたガイド溝の役割を果たす。
【００２５】
前後一対のリブ８２，８３は、ガイド板８１に対して垂直な平板状の縦板から成り、ガイド板８１の前後にそれぞれ一体に形成されている。後側に配列されている第１ガイド部８０Ｒの、一対のリブ８２，８３は、下方が切り欠かれている。一方、前側に配列されている第２ガイド部８０Ｆにおいて、後側のリブ８２は下方が切り欠かれているが、前側のリブ８３は、切り欠かれていない。
【００２６】
図１０は図７に示すハンドルケースの図である。図７〜図１０に示すように、ハンドルケース４２は、上端部から上方へ延びる前後一対の被ガイド部４３Ｒ，４３Ｆと、下端部から下方へ延びる前後一対の被取付部４４，４４とを有している。ここで、ハンドルケース４２において、後側の被ガイド部４３Ｒのことを第１被ガイド部４３Ｒと言い、前側の被ガイド部４３Ｆのことを第２被ガイド部４３Ｆと言う。第１及び第２被ガイド部４３Ｒ，４３Ｆは、ウェスト部２３に対面する平板状の部材であり、その上端は必要に応じてガイド板８１側へ延びるフランジ状に形成されている。
【００２７】
図８及び図９に示すように、ハンドル用開口部２１にハンドルケース４２を取付けるときに、このハンドルケース４２をドアライニング２０の裏面２２に沿わせて、例えば、後方からハンドル用開口部２１まで前方にスライドさせた場合に、前後一対の被ガイド部４３Ｒ，４３Ｆはガイド部８０Ｒ，８０Ｆによって案内される。
【００２８】
詳しく述べると、ハンドルケース４２を前方にスライドさせていくと、第２被ガイド部４３Ｆは、第１ガイド部８０Ｒの裏側の空間Ｓｐ（ガイド溝Ｓｐ）を通過した後に、第１ガイド部８０Ｆの裏側の空間Ｓｐ（ガイド溝Ｓｐ）に挿入される。また、第２被ガイド部４３Ｆは、第１ガイド部８０Ｒの裏側の空間Ｓｐに挿入される。そのまま、ハンドルケース４２を前方に更にスライドさせていくと、第１及び第２被ガイド部４３Ｒ，４３Ｆは第１及び第２ガイド部８０Ｒ，８０Ｆによって前方に案内される。なお、ガイド溝Ｓｐの溝幅は、第１及び第２被ガイド部４３Ｒ，４３Ｆが前後方向へ円滑にスライド可能であるとともに、ガタツキが無いような大きさに設定される。
【００２９】
ところで、上述のように、前側に配列されている第２ガイド部８０Ｆにおいて、後側のリブ８２は下方が切り欠かれているが、前側のリブ８３は、切り欠かれていない。このことについて、さらに説明する。ここで、第２ガイド部８０Ｆにおける前側のリブ８３のことを、適宜「位置決めストッパ８３」と言い換えて説明する。
【００３０】
図１１は図７に示す第２ガイド部８０Ｆと第２被ガイド部４３Ｆとの関係を示す図である。図１１は、ハンドルケース４２をハンドル用開口部２１（図８参照）の位置近傍までスライドさせた状態を示している。位置決めストッパ８３（前側のリブ８３）は、ハンドルケース４２をハンドル用開口部２１までスライドさせたときに当たることにより、このハンドル用開口部２１に対する車両前後方向の位置決めをする部分、つまり、スライド終端を決定する部分である。
【００３１】
このように、図８及び図１１に示すように、ドアライニング２０の裏面２２に位置決めストッパ８３を有しているので、ハンドルケース４２をハンドル用開口部２１まで車両前後方向にスライドさせたときに、ハンドルケース４２が位置決めストッパ８３によってスライドが規制される。ハンドル用開口部２１に対する車両前後方向の位置決めを、容易に行うことができるので、作業性が良い。
【００３２】
さらには、位置決めストッパ８３の位置は、ハンドルケース４２をハンドル用開口部２１の位置近傍までスライドさせた後に、ハンドルケース４２を車両前後方向へ微調整することが可能な位置に設定されている。つまり、ハンドルケース４２をハンドル用開口部２１の位置近傍までスライドさせたときに、位置決めストッパ８３と第２被ガイド部４３Ｆの前端との間には、若干の隙間Ｇｐを有する。この隙間Ｇｐの大きさδ（前後方向の間隔δ）は、ハンドルケース４２を車両前後方向へ微調整することが可能な大きさに設定される。このため、ハンドル用開口部２１に対するハンドルケース４２の取付け位置を、車両前後方向に微調整して、最適な位置に容易に設定することができる。
【００３３】
ハンドルケース４２のスライド終端を決定する位置決めストッパ８３を、第２ガイド部８０Ｆに設けたので、別個のストッパを設ける必要がない。このため、ドア１０の部品数を削減することができるとともに、ドアライニング２０の裏側における狭いスペースを、有効に活用することができる。
【００３４】
次に、図７及び図８に示す一対のケース取付部９０，９０について、詳しく説明する。図１２は図８に示すケース取付部を示す斜視図である。図８に示すように、ケース取付部９０は、クリップ取付座９１とクリップ９５と嵌合孔４５とから成る。
図８及び図１２に示すように、クリップ取付座９１は、ドアライニング２０の裏面２２からドアパネル７０側へ延びる略水平な平板状の部材である。さらに、クリップ取付座９１は、車両前後方向の両端に一対の突出部９２，９２を有している。突出部９２，９２は、ドアライニング２０の裏面２２からドアパネル７０側へ延びている。
【００３５】
クリップ９５は、クリップ取付座９１に延出端９３側から弾性を有して取付ける部材であり、クリップ取付座９１に弾性を有してワンタッチで取り付けられる第１弾性片９６と、この第１弾性片９６の両側に配列された２個の第２弾性片９７，９７とを有している。第２弾性片９７，９７は、延出端９３よりも下方に配置され、上下方向に弾性変形が可能である。
なお、図１２に示すように、クリップ取付座９１の上面には、クリップ取付座９１に対するクリップ９５の挿入深さを規制するための、クリップ位置規制リブ９４，９４（ストッパ）が形成されている。
【００３６】
ハンドルケース４２の被取付部４４は、嵌合孔４５を有している。この嵌合孔４５は、クリップ取付座９１及びクリップ９５に対向する位置に有している。
【００３７】
ところで、一対の突出部９２，９２は、クリップ取付座９１の延出端９３よりもドアパネル７０側へ突出した縦板から成る。延出端９３から突出部９２の先端までの突出量はＰｒである。このため、一対の突出部９２，９２は、クリップ取付座９１に取り付けられたクリップ９５が車体前後方向へ位置ズレすることを規制することができる。クリップ取付座９１に対して、クリップ９５を最適な位置に保持しておくことができる。従って、ケース取付部９０にハンドルケース４２を取付けるときに、クリップ９５の位置を修正する必要がないので、作業性が良い。しかも、嵌合孔４５の内面と、クリップ９５の第２弾性片９７，９７との、弾性的な係合を良好な状態に維持することができる。
【００３８】
ケース取付部９０の作用は次の通りである。図１３は図１２に示すケース取付部の作用図である。
先ず、ハンドル用開口部２１にハンドルケース４２を取付けるときに、図１３（ａ）に示すように、ハンドルケース４２をドアライニング２０の裏面２２に沿わせて、前後方向（図１３の紙面表裏方向）にスライドさせる。このスライド途中の段階においては、図１３（ａ）に示すように、クリップ取付座９１に対して嵌合孔４５の位置が不一致である。
【００３９】
また、突出部９２は、クリップ取付座９１の延出端９３よりもドアパネル７０側（図８参照）へ突出している。このため、ハンドルケース４２をスライドするときに、突出部９２は、被取付部４４（つまり、ハンドルケース４２）がクリップ９５に接することを規制する。従って、被取付部４４がクリップ９５に接して擦れる心配はない。このため、ハンドルケース４２を車両前後にスライドさせるときに、被取付部４４がクリップ９５に引っ掛からないので、円滑に作業を進めることができるとともに、作業時に被取付部４４に傷が付く心配がない。
【００４０】
ハンドルケース４２を更に前後方向にスライドさせることによって、図８に示すように、ハンドルケース４２をハンドル用開口部２１の位置までスライドさせたときに、図１３（ｂ）に示すように、クリップ取付座９１に対して嵌合孔４５の位置が一致する。この状態において、被取付部４４をドアライニング２０の裏面２２側へ寄せる。この結果、図１３（ｃ）に示すように、嵌合孔４５は、クリップ取付座９１及びクリップ９５に挿入することにより、嵌合孔４５の内面とクリップ９５の第２弾性片９７とが弾性を有して取り付けられる。
【００４１】
図１４は図７に示すハンドル用開口部にハンドルケースを取付けるときの作用を説明する作用図である。
ハンドル用開口部２１にハンドルケース４２を取付けるには、先ず、図１４（ａ）に示すように、ドアライニング２０の裏面２２において、ハンドル用開口部２１の後方にハンドルケース４２を重ね合わせる。この状態は、図１３（ａ）に示す状態に相当する。
次に、ハンドルケース４２をドアライニング２０の裏面２２に沿わせてハンドル用開口部２１まで前方にスライドさせる。このときに、ガイド部８０Ｒ，８０Ｆによって、被ガイド部４３Ｒ，４３Ｆが前後方向に案内される。
【００４２】
その後、ハンドルケース４２をハンドル用開口部２１までスライドさせたときに、位置決めストッパ８３によって、ハンドル用開口部２１に対する車両前後方向の位置決めがなされる。
次に、ハンドル用開口部２１に対するハンドルケース４２の取付け位置を、車両前後方向に微調整する。この状態は、図１３（ｂ）に示す状態に相当する。
【００４３】
次に、図１４（ｂ）に示すように、ガイド部８０Ｒ，８０Ｆの位置をスイング支点にして、ハンドルケース４２の下部をドアライニング２０の裏面２２に向かってスイングさせる。この結果、ハンドルケース４２の下部における嵌合孔４５は、クリップ取付座９１及びクリップ９５（図１３（ｃ）参照）に弾性を有して取り付けられる。この状態は、図１３（ｃ）に示す状態に相当する。以上で、ハンドルケース４２の取付け作業を完了する。
【００４４】
このようにして、ハンドルケース４２の被ガイド部４３Ｒ，４３Ｆは、ドアライニング２０の裏面２２とガイド部８０Ｒ，８０Ｆとの間に嵌合することによって、ドアライニング２０に取り付けられる。また、ハンドルケース４２の被取付部４４，４４は、クリップ取付座９１及びクリップ９５によって、ドアライニング２０に取り付けられる。
【００４５】
以上の説明をまとめると、次の通りである。
本発明では、ドアライニング２０の裏面２２にガイド部８０Ｒ，８０Ｆを有している。このガイド部８０Ｒ，８０Ｆは、ハンドル用開口部２１に対してハンドルケース４２を取付けるときに、ハンドルケース４２をドアライニング２０の裏面２２に沿わせながらハンドル用開口部２１まで前後に案内する部材である。
【００４６】
作業者は、ハンドル用開口部２１に対してインサイドハンドルユニット４０を取付けるときに、インサイドハンドルユニット４０をドアライニング２０の裏面２２とガイド部８０Ｒ，８０Ｆとの間Ｓｐ，Ｓｐ、で前後方向にスライドさせて、ハンドル用開口部２１まで容易に且つ正確に移動させることができる。
従って、ドアライニング２０の車室側に立っている作業者は、図８に示すドアライニング２０の上縁２０ａ（ウェスト部２３の上端面）から裏面２２へ手を伸ばし、ハンドルケース４２をドアライニング２０の裏面２２に沿わせてハンドル用開口部２１まで前後スライドさせて、所定の位置に組付けることができる。ドアライニング２０の上縁２０ａから裏面２２の下方へ手を大きく伸ばさなくても作業できるので、組付け作業性を高めることができる。
【００４７】
さらには、ドアライニング２０に対してインサイドハンドルユニット４０を下方から組付けるのに必要なスペースが十分に確保されない場合であっても、容易に組付けることができるので、組付け作業性が良い。
【００４８】
図１５は図７の１５−１５線断面図である。図４、図７及び図１５に示すように、ドアパネル７０とドアライニング２０との間に、グリップ取付ブラケット１００が配置されている。このグリップ取付ブラケット１００は、ドアパネル７０に対して、ドアライニング２０とドアグリップ３０と第２の付属部品６０を強固に取付けるための部材であって、例えば鋼板のプレス成形品から成り、剛性が大きい。
【００４９】
詳しく述べると、図４及び図７に示すように、グリップ取付ブラケット１００は、ドアパネル取付部１０１と、第１グリップベース取付部１０２と、付属部品取付部１０３と、第２グリップベース取付部１０４とを一体に形成したものである。グリップ取付ブラケット１００の概略の全体形状は、ドアパネル７０側が開放された平面視略コ字状体の後端から後方へ、細長い縦板が延びた形状である。この縦板はドアパネル取付部１０１を成す。
【００５０】
ドアパネル取付部１０１は、グリップ取付ブラケット１００の最後端部分に位置する。さらに、ドアパネル取付部１０１は、図１５に示すようにドアパネル７０にほぼ接するように位置する。図７に示すように、第１グリップベース取付部１０２は、ドアパネル取付部１０１の前下方に位置するとともに、ドアライニング２０の裏面２２に接するように位置する。付属部品取付部１０３は、ドアパネル取付部１０１に対して前方に位置するとともに、ドアライニング２０よりも車室側へ突き出るように位置する。第２グリップベース取付部１０４は、付属部品取付部１０３に対して前下方に位置するとともに、ドアライニング２０の裏面２２に接するように位置する。
【００５１】
図７、図１０及び図１５に示すように、ドアパネル７０に対するグリップ取付ブラケット１００の取付け位置は、ハンドル用開口部２１と、ハンドルケース４２の開口部４６を通して取付け可能な位置に配置されている。ハンドルケース４２の開口部４６は、第２の付属部品６０（図４参照）を取付けるための貫通孔である。
【００５２】
詳しくは、図１５に示すように、ドアパネル７０は、ドアパネル取付部１０１と対向する位置に第１のナット１１１を固定したものである。ドアパネル７０における車室側の表面７１にドアパネル取付部１０１を重ね、ハンドル用開口部２１側から第１のビス１１２を入れて第１のナット１１１に締め付ける。この結果、グリップ取付ブラケット１００は、第１のビス１１２及び第１のナット１１１によって、ドアパネル７０に強固に取り付けられる。第１のナット１１１は取付部の一種であり、第１のビス１１２は締結部材の一種である。
【００５３】
このように、本発明では、ドアパネル７０とドアライニング２０との間に配置されたグリップ取付ブラケット１００を介して、ドアパネル７０にドアグリップ３０を取付けるようにした。グリップ取付ブラケット１００は、ドアパネル７０及びドアライニング２０の周辺に配置されている他の部品に干渉しないように、自由に通すことができる。しかも、ドア１０の外部からグリップ取付ブラケット１００が見えることはない。従って、ドアグリップ３０の形状や配置を設計するのに、ドアパネル７０に対するドアグリップ３０の取付け位置や、ドアパネル７０及びドアライニング２０の周辺に配置されている他の部品の制約を受けない。このため、ドアグリップ３０の設計の自由度が高い。しかも、ドア１０周りの外観性を高めることができる。
【００５４】
また、本発明では、ドアパネル７０に対するグリップ取付ブラケット１００の取付け位置を、ハンドル用開口部２１を通して取付け可能な位置に配置した。このため、ドアライニング２０にインサイドハンドルユニット４０を取付けた後には、ドアパネル７０に対するグリップ取付ブラケット１００の取付け位置が、ドア１０の外部から見えることはない。従って、ドア１０周りの外観性を高めることができる。
【００５５】
ところで、ドアライニング２０は、ドアパネル７０に臨む面２２（裏面２２）に受け皿１１３を有している。この受け皿１１３は、ドアパネル７０にグリップ取付ブラケット１００を第１のビス１１２（締結部材１１２）によって取付けるときに、誤って落下した第１のビス１１２を受けるべく、ハンドル用開口部２１の下方に且つハンドル用開口部２１の下縁２１ｂの近傍に配置されている。
【００５６】
このため、ドアパネル７０にグリップ取付ブラケット１００を第１のビス１１２によって取付けるときに、誤って落下した第１のビス１１２を受けることができる。作業者は、ハンドル用開口部２１から受け皿１１３へ手を伸ばし、受け皿１１３に載っている第１のビス１１２を容易に取り出すことができる。しかも、互いに組み立てられている、ドアライニング２０とドアパネル７０を組み直す必要はない。
【００５７】
次に、グリップ取付ブラケット１００に対する他の部材の取付構造について説明する。図１６は図７に示すグリップ取付ブラケット周りの図である。図１７は図１６の１７−１７線断面図である。
図１６及び図１７に示すように、グリップ取付ブラケット１００の第１グリップベース取付部１０２は、ドアライニング２０の第１取付フランジ２６と、グリップベース３１の第１取付フランジ３１ａとを取り外し可能に取付けたものである。
【００５８】
詳しく述べると、図２に示すように、ドアライニング２０の第１取付フランジ２６は、ドアライニング２０からハンドル用開口部２１内へ突き出るように形成されている。図５に示すように、グリップベース３１の第１取付フランジ３１ａは、グリップベース３１の前上端部における裏面に形成されている。この第１取付フランジ３１ａは、第１グリップベース取付部１０２に向かって延びる第２のナット１２１を有している。
【００５９】
図１７に示すように、第１グリップベース取付部１０２に対して、ドアライニング２０の第１取付フランジ２６、スペーサ１２２及びグリップベース３１の第１取付フランジ３１ａを、この順に車室側（車幅中心ＣＬ側）に重ね合わせ、車室側から第２のビス１２３を入れて第２のナット１２１に締め付ける。この結果、これらの全ての部材１０２，２０，３１同士は、第２のビス１２３及び第２のナット１２１による共締めによって取付けられる。第２のビス１２３は締結部材の一種であり、第２のナット１２１は取付部の一種である。
【００６０】
図１８は図１６の１８−１８線断面図である。図１６及び図１８に示すように、グリップ取付ブラケット１００の付属部品取付部１０３は、第２の付属部品６０（図６参照）及びグリップカバー３２を取り外し可能に取付けたものである。
【００６１】
詳しく述べると、図６に示すように、第２の付属部品６０を取付けた第２のパネル６１は、取付フランジ６２を有している。図１８に示すように、グリップカバー３２は、裏面３２ａから付属部品取付部１０３に向かって延びる第３のナット１３１を有している。この第３のナット１３１は、例えばグリップカバー３２にインサート成形されている。
【００６２】
図１８に示すように、第３のナット１３１は、長手途中における外面が、先細りの雄テーパ形状に形成されている。このため、第３のナット１３１に取付フランジ６２を嵌合することによって、グリップカバー３２に対する、取付フランジ６２の車幅方向の位置が定まる。付属部品取付部１０３に対して、取付フランジ６２及びグリップカバー３２を、この順に車室側（車幅中心ＣＬ側）に重ね合わせ、付属部品取付部１０３側から第３のビス１３３を入れて第３のナット１３１に締め付ける。この結果、付属部品取付部１０３と、第２のパネル６１の取付フランジ６２と、グリップカバー３２とは、第３のビス１３３及び第３のナット１３１によって取付けられる。第３のナット１３１は取付部の一種であり、第３のビス１３３は締結部材の一種である。第２の付属部品６０は、第２のパネル６１を介してグリップ取付ブラケット１００に取り外し可能に取り付けられることになる。なお、図６に示すように、第２のパネル６１は、グリップカバー３２に対して他の位置においても、第４のビス１４１によって取り外し可能に取り付けられている。
【００６３】
図１９は図１６の１９−１９線断面図である。図１６及び図１９に示すように、グリップ取付ブラケット１００の第２グリップベース取付部１０４は、ドアライニング２０の第２取付フランジ２７と、グリップベース３１の第２取付フランジ３１ｂと、グリップカバー３２の取付部１５１とを取り外し可能に取付けたものである。
【００６４】
詳しく述べると、図２に示すように、ドアライニング２０の第２取付フランジ２７は、ドアライニング２０からハンドル用開口部２１内へ突き出るように形成されている。図５に示すように、グリップベース３１の第２取付フランジ３１ｂは、グリップベース３１の前上端部における裏面に形成されている。図６及び図１９に示すように、グリップカバー３２の取付部１５１は、グリップカバー３２の裏面から第２グリップベース取付部１０４に向かって延びる第５のナットから成る。この第５のナット１５１は、例えばグリップカバー３２の裏面３２ａから第２グリップベース取付部１０４に向かって膨出した位置決め部１５２にインサート成形されている。つまり、グリップカバー３２は、裏面３２ａに第５のナット１５１（取付部１５１）を有していることになる。位置決め部１５２の先端面にグリップベース３１の第２取付フランジ３１ｂを重ねることによって、グリップカバー３２に対する、第２取付フランジ３１ｂの車幅方向の位置が定まる。
【００６５】
第２グリップベース取付部１０４に対して、ドアライニング２０の第２取付フランジ２７、グリップベース３１の第２取付フランジ３１ｂ及びグリップカバー３２を、この順に車室側（車幅中心ＣＬ側）に重ね合わせ、第２グリップベース取付部１０４側から第５のビス１５３を入れて第５のナット１５１に締め付ける。この結果、これらの全ての部材１０４，２７，１５２同士は、第５のビス１５３及び第５のナット１５１による共締めによって取付けられる。第５のナット１５１は取付部の一種であり、第５のビス１５３は締結部材の一種である。
【００６６】
このように、ドアパネル７０に取り付けられているグリップ取付ブラケット１００と、ドアライニング２０と、ドアグリップ３０におけるグリップベース３１と、グリップカバー３２に有している取付部１５１（第５のナット１５１）とは、締結部材１５３（第５のビス１５３）の共締めによって互いに取付けられた構成である。これらの全ての部材１００，２０，３１，１５１が、締結部材１５３の共締めによって互いに取付けられるので、取付け強度を十分に高めることができる。
【００６７】
以上の説明から明らかなように、ドアライニング２０とドアグリップ３０と第２の付属部品６０とは、単一のグリップ取付ブラケット１００を介してドアパネル７０に取り外し可能に取り付けられている。全ての部材２０，３０，６０を単一のグリップ取付ブラケット１００によってドアパネル７０に取付けることができる。従って、ドア１０の部品数を削減することができる。
【００６８】
なお、本発明では、締結部材はビスに限定されるものではなく、例えばボルトであってもよい。取付部はナットに限定されるものではなく、締結部材と協働して締結するものであればよい。
【産業上の利用可能性】
【００６９】
本発明の車両用ドア構造は、自動車のドアに用いるのに好適である。
【図面の簡単な説明】
【００７０】
【図１】本発明に係る車両用ドアを車室側から見た側面図である。
【図２】図１に示すドアにおいてドアグリップを外した状態の側面図である。
【図３】図１に示すドアをドアパネル側から見た側面図である。
【図４】図３に示すドア周りの分解図である。
【図５】図１に示すドアグリップをドアパネル側から見た図である。
【図６】図５に示すグリップカバーをドアパネル側から見た図である。
【図７】図３に示すハンドルケース周りの図である。
【図８】図７の８−８線断面図である。
【図９】図７に示すハンドルケースの上部及びガイド部を示す分解図である。
【図１０】図７に示すハンドルケースの図である。
【図１１】図７に示す第２ガイド部と第２被ガイド部との関係を示す図である。
【図１２】図８に示すケース取付部を示す斜視図である。
【図１３】図１２に示すケース取付部の作用図である。
【図１４】図７に示すハンドル用開口部にハンドルケースを取付けるときの作用を説明する作用図である。
【図１５】図７の１５−１５線断面図である。
【図１６】図７に示すグリップ取付ブラケット周りの図である。
【図１７】図１６の１７−１７線断面図である。
【図１８】図１６の１８−１８線断面図である。
【図１９】図１６の１９−１９線断面図である。
【符号の説明】
【００７１】
１０…ドア、２０ドアライニング、２１…ハンドル用開口部、２１ｂ…ハンドル用開口部の下縁、２２…ドアライニングにおいてドアパネルに臨む面、３０…ドアグリップ、３１…グリップベース、３２…グリップカバー、３２ｂ…グリップカバーにおける車室側の表面、４０…インサイドハンドルユニット、６０…付属部品（第２の付属部品）、７０…ドアパネル、１００…グリップ取付ブラケット、１１２…締結部材、１１３…受け皿、１５１…取付部。
【図１】
0004575468.tif 000002
【図２】
0004575468.tif 000003
【図３】
0004575468.tif 000004
【図４】
0004575468.tif 000005
【図５】
0004575468.tif 000006
【図６】
0004575468.tif 000007
【図７】
0004575468.tif 000008
【図８】
0004575468.tif 000009
【図９】
0004575468.tif 000010
【図１０】
0004575468.tif 000011
【図１１】
0004575468.tif 000012
【図１２】
0004575468.tif 000013
【図１３】
0004575468.tif 000014
【図１４】
0004575468.tif 000015
【図１５】
0004575468.tif 000016
【図１６】
0004575468.tif 000017
【図１７】
0004575468.tif 000018
【図１８】
0004575468.tif 000019
【図１９】
0004575468.tif 000020